【手続補正書】
【提出日】平成23年2月21日(2011.2.21)
【手続補正１】
【補正対象書類名】特許請求の範囲
【補正対象項目名】全文
【補正方法】変更
【補正の内容】
【特許請求の範囲】
【請求項１】
非水系の溶媒に溶解又は非水系の分散媒に分散する有機電子材料を精製する有機電子材料精製装置であって、
前記有機電子材料を前記非水系の溶媒又は分散媒に含有させた液状体に浸漬した、対向する一対の電極と、
前記一対の電極間に所定の電圧を印加する電圧印加装置と、
前記液状体から、前記電圧印加装置によって前記電圧が印加された前記各電極の少なくとも何れか一方側に引っ張られた前記液状体中の極性不純物を分離する分離装置と、を有する、
ことを特徴とする有機電子材料精製装置。
【請求項２】
前記液状体を貯留する貯留槽を有し、
前記電圧印加装置における前記各電極は、前記貯留槽内に貯留された前記液状体に浸漬するように配置され、
前記電圧印加装置は、前記各電極に電圧を印加する電源を有する、
ことを特徴とする請求項１記載の有機電子材料精製装置。
【請求項３】
前記液状体を貯留する貯留槽を有し、
前記分離装置は、前記貯留槽内の前記液状体に浸漬され、前記各電極間に設けられ、前記極性不純物を通過する多孔質膜で形成された、一対のセパレータを有し、
前記多孔質膜は、前記極性不純物を前記各電極側の方向のみに通過させる不可逆フィルタをなしている、
ことを特徴とする請求項１記載の有機電子材料精製装置。
【請求項４】
前記液状体を貯留する貯留槽を有し、
前記分離装置は、前記貯留槽内の前記液状体に浸漬され、前記各電極間に設けられ、前記極性不純物を通過する多孔質膜で形成された、一対のセパレータと、前記一対のセパレータ間に設けられた、開閉自在の一対の分離用隔壁と、を有する、
ことを特徴とする請求項１記載の有機電子材料精製装置。
【請求項５】
前記液状体が流入する上流口と該液状体が排出される下流口とを有する柱状のカラム容器を有し、
前記電圧印加装置における前記各電極は、前記カラム容器内の前記液状体に浸漬するように配置され、
前記電圧印加装置は、前記各電極に電圧を印加する電源を有する、
ことを特徴とする請求項１記載の有機電子材料精製装置。
【請求項６】
前記カラム容器を複数有し、
前記各カラム容器の前記下流口と前記上流口とが互いに直列に連結されている、
ことを特徴とする請求項５記載の有機電子材料精製装置。
【請求項７】
前記分離装置は、前記カラム容器内の前記液状体に浸漬され、前記各電極間に設けられた、前記極性不純物を通過する多孔質膜で形成された、セパレータを有する、
ことを特徴とする請求項５又は６に記載の有機電子材料精製装置。
【請求項８】
前記カラム容器の前記上流口に設けられた開閉自在の供給用隔壁と前記下流口に設けられた開閉自在の排出用隔壁とを有し、前記下流口に設けられた前記排出用隔壁を開けて前記精製された液状体が取り出される、
ことを特徴とする請求項５乃至７の何れか１項に記載の有機電子材料精製装置。
【請求項９】
前記極性不純物は、アニオン性不純物とカチオン性不純物の少なくともいずれか一つを含む、
ことを特徴とする請求項１乃至８の何れか１項に記載の有機電子材料精製装置。
【請求項１０】
非水系の溶媒に溶解又は非水系の分散媒に分散する有機電子材料を精製する有機電子材料の精製方法であって、
前記有機電子材料を前記非水系の溶媒又は分散媒に含有させた液状体を準備する工程と、
対向する一対の電極を前記液状体に浸漬し、該各電極を介して電圧を印加して、前記液状体中の極性不純物を、前記各電極側の少なくとも何れか一方側に引っ張る工程と、
前記液状体から、前記各電極側に引っ張られた前記極性不純物を分離する工程と、
を含むことを特徴とする有機電子材料の精製方法。
【請求項１１】
前記極性不純物を分離する工程は、前記極性不純物を分離した後の前記液状体を、前記一対の電極間に設けられた、前記極性不純物を前記各電極側の方向のみに通過させる不可逆フィルタをなす多孔質膜で形成された一対のセパレータ間に貯留する工程を有する、
ことを特徴とする請求項１０記載の有機電子材料の精製方法。
【請求項１２】
前記極性不純物を分離する工程は、
前記一対の電極間に設けられた一対の分離用隔壁を開けて、前記極性不純物を分離した後の前記液状体を、前記一対の電極と前記一対の分離用隔壁との間に設けられた、前記極性不純物が通過する多孔質膜で形成された一対のセパレータ間に貯留する工程と、
前記一対の分離用隔壁を閉じて、前記極性不純物を分離した後の前記液状体を、前記一対の分離用隔壁間に貯留する工程と、
を含むことを特徴とする請求項１０記載の有機電子材料の精製方法。
【請求項１３】
前記液状体を準備する工程は、前記液状体が流入する上流口と該液状体が排出される下流口とを有し、内部に前記一対の電極及び前記一対のセパレータが設けられた柱状のカラム容器を有し、前記上流口から前記カラム容器内に前記液状体を連続的に補充する工程を有し、
前記カラム容器の前記下流口から、前記極性不純物を分離した後の前記液状体を連続的に取り出す工程を含む、
ことを特徴とする請求項１０記載の有機電子材料の精製方法。
【手続補正２】
【補正対象書類名】明細書
【補正対象項目名】００１０
【補正方法】変更
【補正の内容】
【００１０】
また、前記液状体を貯留する貯留槽を有し、
前記分離装置は、前記貯留槽内の前記液状体に浸漬され、前記各電極間に設けられ、前記極性不純物を通過する多孔質膜で形成された、一対のセパレータを有し、
前記多孔質膜は、前記極性不純物を前記各電極側の方向のみに通過させる不可逆フィルタをなしている、ことも可能である。
【手続補正３】
【補正対象書類名】明細書
【補正対象項目名】００１１
【補正方法】変更
【補正の内容】
【００１１】
また、前記液状体を貯留する貯留槽を有し、
前記分離装置は、前記貯留槽内の前記液状体に浸漬され、前記各電極間に設けられ、前記極性不純物を通過する多孔質膜で形成された、一対のセパレータと、前記一対のセパレータ間に設けられた、開閉自在の一対の分離用隔壁と、を有する、ことも可能である。
【手続補正４】
【補正対象書類名】明細書
【補正対象項目名】００１８
【補正方法】変更
【補正の内容】
【００１８】
また、前記極性不純物を分離する工程は、前記極性不純物を分離した後の前記液状体を、前記一対の電極間に設けられた、前記極性不純物を前記各電極側の方向のみに通過させる不可逆フィルタをなす多孔質膜で形成された一対のセパレータ間に貯留する工程を有する、ことも可能である。
【手続補正５】
【補正対象書類名】明細書
【補正対象項目名】００１９
【補正方法】変更
【補正の内容】
【００１９】
また、前記極性不純物を分離する工程は、
前記一対の電極間に設けられた一対の分離用隔壁を開けて、前記極性不純物を分離した後の前記液状体を、前記一対の電極と前記一対の分離用隔壁との間に設けられた、前記極性不純物が通過する多孔質膜で形成された一対のセパレータ間に貯留する工程と、
前記一対の分離用隔壁を閉じて、前記極性不純物を分離した後の前記液状体を、前記一対の分離用隔壁間に貯留する工程と、
を含む、ことも可能である。
また、前記液状体を準備する工程は、前記液状体が流入する上流口と該液状体が排出される下流口とを有し、内部に前記一対の電極及び前記一対のセパレータが設けられた柱状のカラム容器を有し、前記上流口から前記カラム容器内に前記液状体を連続的に補充する工程を有し、
前記カラム容器の前記下流口から、前記極性不純物を分離した後の前記液状体を連続的に取り出す工程を含む、ことも可能である。